(57)【要約】      （修正有）【課題】夜間の暗闇においても電灯の点灯なしで安全に歩くことができる、スリッパやサンダルなどの室内履きを提供する。【解決手段】足に履く左右一対の室内履きであって、当該室内履きの上部袋体１０内に踏まれたことを検知する位置センサー８と暗闇を検知する照度センサー９が設けられるとともに、各センサーの検知に基づいて導電され発光する光源としてのＬＥＤ（発光ダイオード）５が、当該室内履きの上部袋体１０内に設けられた室内履き。暗闇に足で履くだけでＬＥＤ（発光ダイオード）５が点灯する。またＬＥＤ（発光ダイオード）５は、前方を照らすようにその向きが設定され、歩行に際して、床面を照らす。【選択図】図２
0003150515.tif 000002
【実用新案登録請求の範囲】
【請求項１】
足に履く左右一対の室内履きであって、当該室内履きの甲の内側部分に足の位置をキャッチする位置センサーを設け、および甲の外側部に照度センサーを設けたことを特徴とする室内履き。
【請求項２】
該位置センサーと該照度センサーが一つの密閉した袋体に収納されていることを特徴とする請求項１記載の室内履き。
【考案の詳細な説明】
【技術分野】
【０００１】
本考案は、スリッパや上履きなどのように主として室内で使用される室内履きに関し、より詳しくは、夜間の暗い廊下でも電灯の点灯なしで歩くことを可能にするような室内履きに関するものである。
【背景技術】
【０００２】
発光装置を有する履物は、たとえば下記特許文献１や特許文献２のように古くから提案されている。
【０００３】
このような履物は、足に履いた歩行者が夜間に外出する際に、車両等の運転者に対して歩行者の存在を知らせて、事故を未然に防ぐために開発されたもので、履物の踵部分や側面に発光のための手段が設けられている。
【０００４】
しかし、スリッパのような室内履きにおいて発光装置を有するものは存在しなかった。このため、当然のことながら、歩行のために発光する光源を有するものも存在しない。
【０００５】
ところで、たとえば夜間の就寝中、トイレに起きる場合には、周りの者の睡眠を邪魔しないように配慮がなされるが、このような配慮とトイレに起きる者の安全との両立を図ることは難しい。
【０００６】
つまり、周りの者の睡眠を邪魔しないようにするためには、静かに起きた上で、寝室の電灯を点けず、しかも音を立てずに歩くことが必要になるが、床面には段差や物などの障害があるうえに足元が暗いため、躓いたりするおそれがある。
【０００７】
このようなおそれを避けるためには、枕元のスタンドを点けたり、小型の懐中電灯を枕元に用意したりすることが考えられるが、前者の場合には隣に寝ている者を起してしまう場合があり、後者の場合には勘違い等により懐中電灯を置いたはずの場所にそれが無かったりして探すのに苦労する場合がある。また、懐中電灯を点灯するのに、スイッチの場所や操作の仕方がわからなかったりすることもある。このような場合には、目がさえてしまい、寝室や廊下の電灯をこうこうと点けた場合と同様に、引き続いての睡眠に支障がでることがある。
【特許文献１】特開平６−２０９８０７号公報
【特許文献２】特開平１０−５０１０１号公報
【考案の開示】
【考案が解決しようとする課題】
【０００８】
そこで、この考案は、足で履くこと、および暗くなると光る光源を備えた室内履きを提供し、夜間における暗闇での静かで安全な歩行に資することを主たる課題とする。
【課題を解決するための手段】
【０００９】
そのための手段は、足に履く左右一対の室内履きであって、当該室内履き内側の接触面のいずれかが足の一部によって圧力を受けたとき、および暗くなると導電されて発光する光源が、室内履き甲の部分に設けられ、上記光源の向きが、前方を照らすように設定された室内履きである。
【００１０】
上記光源には、たとえば発光ダイオードやその他の発行素子などが使用され、その数は、１個でも複数個でもよい。
【００１１】
また、上記光源は、足で履いた時のその圧力や周囲の明るさによって発光するように制御できる。発光は履いた時と暗くなったときだけ行われるほか、暗くなって履いた時の後に所定時間の間行われるようにするもよい。
【００１２】
さらに、光源の発光は、左右のうちいずれか一方の室内履きの光源が発光するように構成するも、他方の室内履きの光源が発光するように構成するも、さらには双方の室内履きの光源が発光するように構成するもいずれでもよい。
【００１３】
このような構成の室内履きでは、暗くなったときに室内履きを履くだけで爪先側部位に設けられた光源が発光し、前方を照らす。このため、別途に照明は必要なく、室内履きを履くだけで、爪先側すなわち進行方向の床面を照らすことができ、安全に歩行が行える。
【考案の効果】
【００１４】
以上のように、この考案によれば、暗くなったときに足に履くだけで照明できる室内履きが得られ、たとえば夜間にトイレに起きる時に、隣の者を起してしまうことなく静かに起きて安全に歩行することができる。トイレに起きる時のほか、夜間に帰宅した時や、倉庫や書庫、納戸などの暗い部屋に入る時などにも便利である。
【考案を実施するための最良の形態】
【００１５】
この考案を実施するための一形態を、以下図面を用いて説明する。 
図１は、室内履き１の斜視図であり、室内履きの一例として、足の全体をすっぽりと包み込む形態の室内履き１を示している。
【００１６】
すなわち、図２にも示したように、室内履き１は、足が接触する履物台２と、この上面側で足首より下の足全体を覆うアッパー３とを一体に有した形状で、アッパー３の上端部で足首に対応する部位に、開口部４が形成されている。
【００１７】
そしてこのアッパー３の上部面には、光源としてのＬＥＤ（発光ダイオード）５を収納した袋体10が設けられて前方を照らすような方向に向けられている。
【００１８】
ＬＥＤ５の取り付けは、袋体10の前面の所定位置に穴をあけて、この穴からＬＥＤ（発光ダイオード）５が突出するように行う。
【００１９】
また、これらＬＥＤ（発光ダイオード）５の発光を行う契機を得るため、足の収納時に足の甲の位置を検知して発光制御回路６（図３参照）に電圧を印加する位置センサー７が、袋体10下部のアッパー３接触面に設けられ、足の甲の部分が接触することで位置センサー７が動作する。
【００２０】
発光制御回路６は電源としての電池７とともにアッパー３の上部に設けられた袋体内に密閉した形状で収納されている。発光制御回路６と電池７は、小型に形成できるうえに、足への違和感がない状態にできる。
【００２１】
また、周囲の照度が50ルックス以下になると感知して発光制御回路６を制御する照度センサー９も設けることにより、位置センサー８と合わせることで周囲が暗くなって、かつ履けば自動的にＬＥＤ（発光ダイオード）５を点灯させることができるようになる。
【００２２】
図３に、上記ＬＥＤ（発光ダイオード）５の発光制御回路構成のブロック図を示す。 
すなわち、室内履き１に足が収納されると、位置センサー８が押されたことを検知され、かつ周囲が暗くなると照度センサー９の感知により発光制御回路６が動作し、その間各ＬＥＤ（発光ダイオード）５を一斉に点灯する。発光制御回路６には、たとえば遅延回路を備えて、位置センサー８の１回の検知で所定時間ＬＥＤ（発光ダイオード）５を点灯するようにしてもよい。 
このように構成された室内履き１では、つぎのような作用効果を有する。
【００２３】
室内履き１がベッドの下や部屋の出口、入口などに脱いで置かれている場合において、周囲が暗い状態で人体の足が室内履き１を履いたとき、その履いたことにより位置センサー８で検知されると、室内履き１の甲の部分に設けられた袋体前面のＬＥＤ（発光ダイオード）５が点灯して前方、すなわち進行方向側が照らされる。
【００２４】
このように、暗闇で単に足で履くだけで室内履き１の上側部位が発光する構成であるので、たとえば夜間の就寝中であっても、スイッチを投入したりする手間がないので騒がしくなることはなく、しかも光るのは足元だけであるのでまぶしい感じを与えてしまうこともなく、周囲の者を不測に起してしまうことを回避できる。つまり、静かに起きて速やかに歩行を開始することができる。
【００２５】
さらに、室内履き１は発光制御回路６を袋体10内に密閉して収納することで防水となり、袋体10を開閉可能にすることにより電池交換やメンテナンスが容易に行うことが出来る。
【００２６】
また、袋体10は例えばマジックテープ（登録商標）などで取り外し可能にしておけば、室内履き１が汚れた時ははずして洗濯することが出来る。
【００２７】
この考案の構成と上記一形態の構成との対応において、 この考案の光源は、上記一形態のＬＥＤ（発光ダイオード）５に対応するも、 この考案は上記構成のみに限定されるものではなく、その他の形態を採用することができる。 
たとえば、ＬＥＤのほかに小型の電球を使用する、また履物もスリッパ、サンダル、下駄に取り付けることも出来る。
【００２８】
また、位置センサー８と照度センサー９による自動検知によるものだけでなく、単なるスイッチによる発光にすることも出来る。また、位置センサー８の取り付け位置によって発光遮断のタイミングを変えることが可能である。
【図面の簡単な説明】
【００２９】
【図１】室内履きの斜視図。
【図２】室内履きの側面図及び断面図。
【図３】制御回路ブロック図。
【符号の説明】
【００３０】
１    室内履き
２    履物台
３    アッパー
４    開口部
５    ＬＥＤ
６    発光制御回路
７    電池
８    位置センサー
９    照度センサー
10    袋体
【図１】
0003150515.tif 000003
【図２】
0003150515.tif 000004
【図３】
0003150515.tif 000005